(57)【要約】  【課題】アクチュエータや羽根などの構成部材を、すべて地板の一方の面に対して取り付けるようにしたコスト上で有利なカメラ用羽根駆動装置を提供すること。  【解決手段】先ず、地板１に設けられた軸に回転子５を回転可能に嵌合させると共に、コイル３を巻回したボビン４とヨーク２とからなる固定子を地板１の切欠部１ｂの対応位置に嵌め込む。その後、仕切り板６、シャッタ羽根７，８、カバー板９の順に地板１の軸に組み付けてゆき、最後に、二つのねじを、カバー板９の孔９ｎ，９ｐ、仕切り板６の孔６ｍ，６ｎに挿入して、地板１にねじ込むなどすることによって、シャッタ装置がユニット化されている。【選択図】  図２
2006011293.tif 000002
【特許請求の範囲】
【請求項１】
撮影光路用の開口部を有している地板と、撮影光路用の開口部を有していて前記地板との間に羽根室を構成しているカバー板と、前記羽根室内において前記地板に回転可能に取り付けられている少なくとも１枚の羽根と、前記羽根を駆動する少なくとも一つの電磁駆動源と、を備えていて、前記電磁駆動源は、外周面に所定角度ごとの複数の磁極を有するように着磁されていると共にその回転によって前記羽根を駆動するための駆動ピンを有している回転子と、前記回転子の外周面と対向する複数の磁極部を有しているヨークと、前記ヨークに巻回されたコイルと、からなっており、少なくとも前記回転子と前記ヨークとが、前記地板と前記カバー板との間に配置されていて、該回転子は、少なくとも前記地板に回転可能に取り付けられていることを特徴とするカメラ用羽根駆動装置。
【請求項２】
前記回転子が、その回転中心部に貫通孔を有していて、該貫通孔を、前記地板に設けられた軸に回転可能に嵌合させていることを特徴とする請求項１に記載のカメラ用羽根駆動装置。
【請求項３】
撮影光路用の開口部を有している仕切り板が、前記地板と前記カバー板の間に配置されていて、前記地板との間に前記電磁駆動源を配置し、前記カバー板との間に前記羽根室を構成していることを特徴とする請求項１又は２に記載のカメラ用羽根駆動装置。
【請求項４】
前記ヨークが、前記コイルと共に、前記地板と前記カバー板とによって又は前記地板と前記仕切り板とによって、挟持されていることを特徴とする請求項１乃至３のいずれかに記載のカメラ用羽根駆動装置。
【請求項５】
前記地板と前記カバー板との間又は前記仕切り板と前記カバー板との間に撮影光路用の開口部を有している中間板が配置されていて該中間板を境にして二つの羽根室が構成されており、前記地板と該中間板の間又は前記地板と前記仕切り板との間には前記電磁駆動源が二つ配置され、該二つの羽根室にはそれらの電磁駆動源によって別々に駆動される羽根が少なくとも１枚ずつ配置されていることを特徴とする請求項１乃至４のいずれかに記載のカメラ用羽根駆動装置。
【発明の詳細な説明】
【技術分野】
【０００１】
本発明は、シャッタ装置，絞り装置，フィルタ装置などを、単独もしくは複数でユニット化するようにしたカメラ用羽根駆動装置に関する。
【背景技術】
【０００２】
カメラに内臓されている最近のレンズシャッタ装置（以下、シャッタ装置という），絞り装置，フィルタ装置は、各々羽根部材を有していて、それらを電磁駆動源（モータ，プランジャ等のアクチュエータ）によって往復作動させるようにしている。そして、シャッタ装置の場合には、シャッタ羽根を２枚として、相反する方向へ回転させるようにしたものが多いが、携帯電話用のカメラも含めてレンズ口径の極めて小さいカメラに内蔵するシャッタ装置の場合には、シャッタ羽根を１枚としたものもある。
【０００３】
また、レンズ口径の比較的小さいカメラに内臓される絞り装置は、最近では、もっぱら光量制御の目的だけに用いられるようになってきており、その構成としては、複数枚の絞り羽根を同時に作動させて複数の絞り開口を規制できるようにしたものもあるが、円形をした絞り開口用の開口部を有する１枚の絞り羽根を備えていて、その絞り羽根を必要に応じて露光開口に進退させるようにしたものが多くなってきている。そして、そのような円形の開口部を有する絞り羽根を備えた絞り装置の場合には、開口部の直径の異なる複数枚の絞り羽根を備えることもある。
【０００４】
更に、フィルタ装置の場合には、上記の円形の開口部を有した絞り羽根と類似の形状（但し、その開口部は、露光開口と略同じ大きさの場合もある）をした羽根部材に対し、その開口部の近傍位置にその開口部を覆うようにしてＮＤフィルタ板を取り付けることによってフィルタ羽根としたものが多くなっているが、そのような円形の開口部を有する羽根部材を２枚用意し、それらの間に、ＮＤフィルタ板のみで製作した羽根部材を重合させ、３枚の部材を、あたかも１枚の羽根のようにして、同時に同方向へ往復回転させるようにしたものもある。そして、そのようなフィルタ羽根を備えたフィルタ装置の場合には、開口部の直径が異なっていたりＮＤフィルタ板の濃度の異なっていたりする複数枚のフィルタ羽根を備えることもある。
【０００５】
このように、シャッタ羽根，絞り羽根，フィルタ羽根を電磁駆動源で作動させるようにしたシャッタ装置，絞り装置，フィルタ装置は、各々単独でユニット化されることもあるが、それらの二つ以上の装置を一つのユニットとすることもある。そして、単独でユニット化する場合であっても、シャッタ装置の場合には、開き用のシャッタ羽根と閉じ用のシャッタ羽根とを別々の電磁駆動源で作動させることがある。また、絞り装置の場合には、上記のように開口部の直径の異なる複数枚の絞り羽根を各々の電磁駆動源で作動させるものがあるし、フィルタ装置の場合には、上記のように開口部の直径が異なっていたりＮＤフィルタ板の濃度の異なっていたりする複数枚のフィルタ羽根を各々の電磁駆動源で作動させるものもある。そして、別々の電磁駆動源で作動させられる２種類の羽根部材を備えたカメラ用羽根駆動装置の場合には、それらの２種類の羽根部材を、同じ羽根室内に配置させる場合もあるが、別々の羽根室内に配置させるようにする場合もある。
【０００６】
このようにしてユニット化される各種のカメラ用羽根駆動装置は、デジタルスチルカメラ，デジタルビデオカメラ，監視カメラ，情報通信端末装置用カメラなどの固体撮像素子を備えたデジタルカメラのほかに、従来からの銀塩フィルムカメラやビデオカメラにも採用することが可能になっているが、それらのうち、電磁駆動源が光軸方向に占める寸法を小さくすることによってユニット全体の薄型化を可能にした極めて好適な構成のシャッタ装置が、特許文献１及び２に記載されている。
【特許文献１】特開２００３−１８６０７９号公報
【特許文献２】特開２００４−３２８７３号公報
【発明の開示】
【発明が解決しようとする課題】
【０００７】
ところで、上記の特許文献１に記載されている構成のシャッタ装置や特許文献２に記載されている構成のシャッタ装置の場合はもとより、上記したような構成をした各種のカメラ用羽根駆動装置は、地板の一方の面に、モータなどの電磁駆動源を取り付け、他方の面に、羽根などを取り付けるようにしているのが普通である。そのため、作業者が組立作業を行うに際し、地板を手に持って行う場合には、地板も含めた構成部材のハンドリングが極めて面倒となり、また、地板を載置台（組立治具ともいう）の上に置いて行う場合には、地板を裏返す必要があることから、少なくとも２種類の専用の載置台が必要になり、製造コストの面からは決して好ましい構成とはいえなかった。
【０００８】
また、特許文献１に記載されている電磁駆動源の構成や、特許文献２に記載されている電磁駆動源の構成の場合は、例えば、特開２００２−１３９７６５号公報や、特開２００３−５２５１号公報などに記載されている電磁駆動源と比較して、機能上は同じ種類の電磁駆動源であるにもかかわらず、光軸方向の寸法を小さくすることができ、装置全体の薄型化にとって好適な構成をしている。しかしながら、このような特許文献１，２に記載されているタイプの電磁駆動源の場合であっても、地板の一方の面との間に回転子を配置するために板部材を必要としていて、しかも、運搬等の取扱い時における保護を目的として、その板部材を比較的厚い部材にせざるを得ない構成であることから、極めて薄型のカメラに内臓するためには、一層の工夫が必要とされている。
【０００９】
本発明は、このような問題点を解決するためになされたものであり、その目的とするところは、電磁駆動源の構成部材や羽根などを、従来のように、地板の両面に振り分けて取り付けることなく、一方の面に対して取り付けることによって、組立作業が容易に行え、構成部材数も少なくすることを可能にした、低コストのカメラ用羽根駆動装置を提供することである。また、特許文献１，２に記載されているようなタイプの電磁駆動源を採用する場合には、従来よりも装置全体を一層薄型化することを可能にしたカメラ用羽根駆動装置を提供することである。
【課題を解決するための手段】
【００１０】
上記の目的を達成するために、本発明のカメラ用羽根駆動装置は、撮影光路用の開口部を有している地板と、撮影光路用の開口部を有していて前記地板との間に羽根室を構成しているカバー板と、前記羽根室内において前記地板に回転可能に取り付けられている少なくとも１枚の羽根と、前記羽根を駆動する少なくとも一つの電磁駆動源と、を備えていて、前記電磁駆動源は、外周面に所定角度ごとの複数の磁極を有するように着磁されていると共にその回転によって前記羽根を駆動するための駆動ピンを有している回転子と、前記回転子の外周面と対向する複数の磁極部を有しているヨークと、前記ヨークに巻回されたコイルと、からなっており、少なくとも前記回転子と前記ヨークとが、前記地板と前記カバー板との間に配置されていて、該回転子は、少なくとも前記地板に回転可能に取り付けられているようにする。その場合、前記回転子が、その回転中心部に貫通孔を有していて、該貫通孔を、前記地板に設けられた軸に回転可能に嵌合させているようにすると、地板への回転子の組み付けが容易になる。
【００１１】
また、本発明のカメラ用羽根駆動装置は、撮影光路用の開口部を有している仕切り板が、前記地板と前記カバー板の間に配置されていて、前記地板との間に前記電磁駆動源を配置し、前記カバー板との間に前記羽根室を構成しているようにすると、装置全体の平面形状を小さくすることが可能になる。また、前記ヨークが、前記コイルと共に、前記地板と前記カバー板とによって又は前記地板と前記仕切り板とによって、挟持されているようにすると、固定子の取付部材が不要となり、低コスト化が可能になる。
【００１２】
更に、本発明のカメラ用羽根駆動装置においては、前記地板と前記カバー板との間又は前記仕切り板と前記カバー板との間に撮影光路用の開口部を有している中間板が配置されていて該中間板を境にして二つの羽根室が構成されており、前記地板と該中間板の間又は前記仕切り板と該中間板の間には前記電磁駆動源が二つ配置され、該二つの羽根室にはそれらの電磁駆動源によって別々に駆動される羽根が少なくとも１枚ずつ配置されているように構成してもよく、そのようにした場合には、羽根の作動が極めて安定したものとなる。
【発明の効果】
【００１３】
本発明は、モータ等の電磁駆動源によって駆動されるシャッタ装置,絞り装置,フィルタ装置を、各々単独のユニットとして、又は複数の装置を一つのユニットとして構成したカメラ用羽根駆動装置において、地板の一方の面に対して、全ての構成部材を取り付けるようにしたものであるから、組立作業が容易に行え、製造コストが低減するという利点を有している。また、全ての構成部材を、地板の一方の面に対して順に組み付けていく構成であることから、前に組み付けた部材を後から組み付けた部材が地板側に押し付けるようにすることにより、従来の構成に比較して、全体の固定部材（手段）の数を少なくすることが可能となり、その点でもコスト面で有利になる。更に、電磁駆動源として、特許文献１や特許文献２に記載されているようなタイプのものを採用する場合は、光軸方向の寸法を一段と小さくすることができ、装置全体を一層薄型化することも可能になるという特徴がある。
【発明を実施するための最良の形態】
【００１４】
本発明の実施の形態を、図示した実施例によって説明する。本発明は、小型のカメラであれば、各種のデジタルカメラにも、銀塩フィルムカメラにも採用することが可能なものであり、また、上記のように、シャッタ装置,絞り装置,フィルタ装置を、各々単独のユニットとして構成しても、それらの複数を一つのユニットとして構成してもよいものであるが、実施例は、情報通信端末装置のカメラにも採用することを可能にした、極めて小型のデジタルカメラ用シャッタ装置として構成したものである。そして、図１は、シャッタ羽根の全開状態を示した実施例の平面図であり、図２は、実施例の分解斜視図である。また、図３は、実施例の組立過程を説明するために、図１の略左方から見て展開して示した断面図であって、図３（ａ）は組立完了状態を示したものであり、図３（ｂ）は各部材の組み付け順を説明するためのものである。更に、図４は、シャッタ羽根の閉鎖状態を示した実施例の平面図である。
【実施例】
【００１５】
先ず、本実施例の構成を説明する。図１は、本実施例のシャッタ装置を被写体側から見た平面図である。そのため、カメラに組み付けられた状態においては、図１の背面側には固体撮像素子が配置されることになる。地板１は、合成樹脂製であって、後述する全ての構成部材を取り付けるため、比較的厚い部材として製作されており、略中央には円形をした撮影光路用の開口部１ａを有していて、周辺の一部には切欠部１ｂを有している。そして、開口部１ａの被写体側は、段階的に直径が大きくなるような凹部に形成されており、その凹部の中に撮影レンズの少なくとも一部を配置することによって、カメラの薄型化が図れるようになっている。また、地板１の固体撮像素子側の面には、地板側の太い軸部と先端側の細い軸部とからなる２段軸１ｃ（図３参照）と、軸１ｄとが設けられており、そのほかにも、軸状をした四つのストッパ１ｅ，１ｆ，１ｇ，１ｈと、三つの取付軸１ｉ，１ｊ，１ｋと、二つのねじ穴１ｍ，１ｎとが設けられている。
【００１６】
地板１の固体撮像素子側の面には、先ず、電磁駆動源が組み付けられている。本実施例の電磁駆動源は、特許文献１，２に記載されている電磁駆動源と同様に、通常、ムービングマグネット型モータなどと言われている電流制御式のアクチュエータであって、永久磁石を有する回転子は、固定子のコイルに対する通電方向に対応した方向へ、所定の回転角度範囲内でだけ回転することの可能なアクチュエータである。そして、本実施例の電磁駆動源の構成は、特許文献２に記載されている電磁駆動源よりも特許文献１に記載されている電磁駆動源に近い構成をしているが、本実施例の電磁駆動源の場合には、特許文献１，２に記載されている電磁駆動源のように、地板１に取り付けるための専用の固定手段（ねじなど）を必要としないのが特徴となっている。
【００１７】
本実施例の電磁駆動源（以下、アクチュエータという）は、固定子が、ヨーク２と、コイル３と、ボビン４とからなっている。それらのうち、ヨーク２は、略Ｕ字形をしていて、二つの端部を磁極部２ａ，２ｂとしている。また、コイル３を巻回しているボビン４には、端子ピン４ａ，４ｂが形成されていて、明示されていないが、それらにコイル３の両端が巻き付けられている。他方、回転子５は、円形の外周面を有している筒状の永久磁石５ａと、その永久磁石５ａに一体化されて径方向へ張り出された合成樹脂製の張出部５ｂと、その張出部５ｂの先端に設けられた駆動ピン５ｃとからなっている。また、それらのうち、永久磁石５ａは、その外周面が１８０度ごとに２極に着磁されているが、９０度ごとに４極に着磁されたものにする場合もある。尚、この種のアクチュエータの回転子には、このような張出部５ｂや駆動ピン５ｃを含めて永久磁石で製作することも知られているし、駆動ピン５ｃが、永久磁石５ａの外周面より内側に設けられたものも知られているが、本発明は、それらの構成をした回転子にも適用される。
【００１８】
このようなアクチュエータの構成部材を地板１に組み付ける場合は、地板１の固体撮像素子側の面を上向きにしておき（図３（ｂ）における天地を逆にしておき）、順に落とし込むようにする。即ち、回転子５は、駆動ピン５ｃを上側にして、地板１の２段軸１ｃの太い軸部に、永久磁石５ａの貫通孔を回転可能に嵌合させる。また、固定子は、ヨーク２の磁極部２ａを、ボビン４の中空部に貫通させておき、端子ピン４ａ，４ｂを地板１側にして切欠部１ｂに向けて挿入する。それによって、ヨーク２は、地板１に形成されている段部１ｐ，１ｑに載置されて、磁極部２ａ，２ｂが永久磁石５ａの外周面に対向させられる。そして、ヨーク２は、段部１ｐ，１ｑに載置された状態（図３（ａ）の状態）では、段部１ｐ，１ｑの平面形状によって軸１ｃの軸方向と直交する方向への移動を阻止されるようになっている。また、図３（ａ）において、ボビン４は、Ｕ字形状をしたヨーク２の根元まで嵌め込まれているので左側へ移動することはなく、右側への移動は、切欠部１ｂの縁で阻止されている。従って、その組み付け状態においては、ボビン４の端子ピン４ａ，４ｂだけが、地板１の被写体側の面から突き出ていて、そのほかは全て略地板１の厚さの範囲内に収まっていることになる。
【００１９】
次に、本実施例の場合には、地板１に、薄い金属製の仕切り板６を組み付けている。この仕切り板６は、略中央に円形をした撮影光路用の開口部６ａを有しているが、その開口部６ａの直径は、地板１の開口部１ａよりも小さくて、本実施例におけるシャッタ装置ユニットとしての露光開口を規制するようになっている。そして、この仕切り板６を組み付けるに際しては、孔６ｂを上記の２段軸１ｃの細い軸部に嵌合させ、孔６ｃを上記の軸１ｄに嵌合させ、孔６ｄ，６ｅ，６ｆを上記のストッパ１ｅ，１ｇ，１ｈに嵌合させ、円弧状の長孔６ｋに上記の駆動ピン５ｃを挿入させる。また、この仕切り板６には、上記のストッパ１ｆを逃げるための切欠部６ｇと、上記の取付軸１ｉ，１ｊ，１ｋを逃げるための切欠部６ｈ，６ｉ，６ｊと、後述のねじを挿入させるための孔６ｍ，６ｎも形成されている。
【００２０】
仕切り板６の次には、シャッタ羽根７，８を組み付けている。これらのシャッタ羽根７，８は、孔７ａ，８ａと長孔７ｂ，８ｂとを有していて、その組み付けに際しては、先ず、地板１側に配置されているシャッタ羽根７の孔７ａを上記の軸１ｄに回転可能に嵌合させ、長孔７ｂに上記の駆動ピン５ｃを挿入させ、次に、シャッタ羽根８の孔８ａを上記の２段軸１ｃの細い軸部に嵌合させ、長孔８ｂに上記の駆動ピン５ｃを挿入させている。
【００２１】
最後に、仕切り板６との間に羽根室を構成しているカバー板９が組み付けられている。このカバー板９は、合成樹脂製であって、略中央に円形をした撮影光路用の開口部９ａを有しているが、その開口部９ａの直径は、地板１の開口部１ａよりも小さいが、仕切り板６の開口部６ａよりは大きい。また、仕切り板６側の面には、上記のシャッタ羽根７，８を作動可能に配置するための窪み部９ｂが形成されている。そして、このカバー板９を組み付けるに際しては、孔９ｃを上記の２段軸１ｃの細い軸部に嵌合させ、孔９ｄを上記の軸１ｄに嵌合させ、孔９ｅ，９ｆ，９ｇを上記のストッパ１ｅ，１ｇ，１ｈに嵌合させ、円弧状の長孔９ｍに上記の駆動ピン５ｃを挿入させる。また、このカバー板９には、上記のストッパ１ｆを逃げるための切欠部９ｈと、上記の取付軸１ｉ，１ｊ，１ｋを逃げるための切欠部９ｉ，９ｊ，９ｋと、後述のねじを挿入させるための孔９ｎ，９ｐも形成されている。
【００２２】
そして、このカバー板９は、固定手段によって５箇所で地板１に取り付けられている。即ち、固体撮像素子側から、図示していない二つのねじが、カバー板９の孔９ｎ，９ｐ、仕切り板６の孔６ｍ，６ｎに順に挿入され、地板１のねじ穴１ｍ，１ｎにねじ込まれている。また、地板１に設けられている三つの取付軸１ｉ，１ｊ，１ｋは、カバー板９の固体撮像素子側で、それらの先端を熱溶融させて鍔状にし、各々切欠部９ｉ，９ｊ．９ｋの縁に引っ掛かるようにしている。そのため、図３（ａ）からも分かるように、そのような取付状態においては、仕切り板６がカバー板９によって地板１に押し付けられていて、アクチュエータの構成部材が、適切な配置位置から図３（ａ）の下方へ移動しないようにしている。従って、本実施例の場合には、アクチュエータを地板１に取り付けるに際して、専用の固定手段を用いていないことになる。尚、本実施例の場合には、カバー板９を５箇所で地板１に取り付けているが、複数箇所で取り付けていれば、５箇所である必要はないし、それらの取付方法も、ねじや熱溶融のいずれか一方だけで行ってもよいし、他の手段を用いても構わない。
【００２３】
このように、本実施例のシャッタ装置の場合には、仕切り板６を備えているが、本発明は、このような仕切り板６を備えることを必須とはしない。即ち、本実施例で仕切り板６を備えている主な理由は、カメラの薄型化を図る目的で、撮影レンズを、シャッタ羽根７，８の作動面に出来るだけ近接させるためには、地板１に形成されている開口部１ａの直径を必要以上に大きくせざるを得ないことから、それに代わって、仕切り板６の開口部６ａを露光開口規制用の開口部にするためである。更に、本実施例の場合には、シャッタ装置の小型化を図る目的で、地板１の平面面積を小さくするために、図１から分かるように、アクチュエータの構成部材がシャッタ羽根７，８の作動領域と重なる配置となっていることから、シャッタ羽根７，８が作動中にそれらの構成部材と干渉しないようにするためである。
【００２４】
従って、それらのことを考慮する必要のない場合には、仕切り板６を備えなくてもよいことになる。即ち、撮影レンズを上記のように配置しなくてもよい場合は、地板１の開口部１ａを露光開口規制用の開口部にすればよいし、場合によっては、カバー板９の開口部９ａを露光開口規制用の開口部にしてもよい。このことは、地板１の平面面積を小さくするためにだけ仕切り板６を備えるようにする場合にも同じことがいえる。また、地板１の平面面積を小さくする必要のない場合は、アクチュエータの構成部材とシャッタ羽根７，８の作動領域とを重ねて配置する必要がないから、仕切り板６は不要となる。そして、仕切り板６を備えない場合には、それに代わって、カバー板９が、アクチュエータの構成部材の適正配置状態を維持するようにすればよい。
【００２５】
そして、そのようにして、仕切り板６を備えない場合には、特許文献１,２に記載されているシャッタ装置の構成に比較して、構成部材が少なくなることから、装置全体を薄くすることが可能になる。尚、本実施例は、２枚のシャッタ羽根７，８を備えているが、本発明は、１枚であっても構わない。そのため、本実施例において、シャッタ羽根８だけを備えたものにし、そのシャッタ羽根８の大きさと形状を若干変えれば、シャッタ羽根８の作動上からだけは問題がなくなるので、わざわざ地板１を大きくしなくても、仕切り板６を不要にすることが可能になることは、当業者自明である。
【００２６】
更に、撮影レンズは上記のようにして配置したいが、地板１の平面面積を小さくする必要のない場合がある。そのような場合には、仕切り板６を備える必要はあっても、本実施例のように、アクチュエータの下面まで覆うようにする必要はなくなる。従って、そのようにアクチュエータの下面まで覆うようない場合には、上記と同様にして、仕切り板６に代わって、カバー板９が、アクチュエータの構成部材の適正配置状態を維持するようにすることになる。そして、仕切り板６をそのような配置構成にして備えた場合であっても、本実施例のような配置構成にして備えた場合でも、それらの場合の仕切り板６は、地板１の羽根室側に配置されているため、特許文献１,２に記載されている板部材とは異なり、装置の取り扱い時における保護を考慮する必要がなく、その分だけ薄くすることが可能である。従って、装置全体を薄型化することが可能である。
【００２７】
次に、本実施例の作動を説明する。図１に示された状態は、カメラの電源はオンになっているが、アクチュエータのコイル３には通電されていない状態である。ところが、周知のように、このとき、回転子５には、その永久磁石５ａの外周面とヨークの磁極部２ａ，２ｂとの対向位置関係によって、反時計方向へ回転する力が付与されている。そのため、駆動ピン５ｃによって、シャッタ羽根７は時計方向へ回転する力が付与され、シャッタ羽根８は反時計方向へ回転する力が付与されているが、それらのシャッタ羽根７，８が、各々ストッパ１ｅ，１ｇに接触して、この状態が維持されている。そのため、この状態においては、仕切り板６の開口部６ａによって規制されている露光開口は全開となっていて、液晶表示装置によって被写体像を観察できるようになっている。
【００２８】
このような初期状態においてレリーズボタン（スイッチ）を押すと、制御回路からの電気信号によって固体撮像素子に蓄積されていた電荷が放出される。それによって、撮影のための露光が開始され、新たな電荷の蓄積が行われていく。そして、露光時間制御回路によって制御された所定の時間が経過すると、その終了信号によって、コイル３に対し、正方向に電流が供給される。そのため、回転子５は、時計方向へ回転させられ、駆動ピン５ｃによってシャッタ羽根７を反時計方向へ、シャッタ羽根８を時計方向へ回転させる。そして、シャッタ羽根７，８は、露光開口を閉鎖すると、その直後に、ストッパ１ｈ，１ｆに当接して停止させられる。図４は、その停止状態を示したものである。
【００２９】
図４に示された状態になると、固体撮像素子に蓄積された撮像情報が記憶装置に転送され、それが終了すると、コイル３に対して、今度は逆方向の電流が供給される。そのため、回転子５は、反時計方向へ回転させられ、駆動ピン５ｃによって、シャッタ羽根７を時計方向へ、シャッタ羽根８を反時計方向へ回転させる。そして、シャッタ羽根７，８は、露光開口を全開にすると、その直後に、ストッパ１ｅ，１ｇに当接して停止させられる。その後、コイル３に対する通電が断たれると、図１に示した初期状態になり、次の撮影に備えることになる。
【００３０】
尚、本実施例は、２枚のシャッタ羽根７，８を備えているシャッタ装置として構成したものであるが、上記したように、シャッタ羽根を１枚とすることも可能である。また、そのようにした１枚の羽根に、開口部６ａよりも直径の小さな開口部を形成すれば、本実施例を絞り装置とすることが可能になる。更に、その１枚の羽根に所定の大きさの開口部を形成し、その開口部を覆うようにしてＮＤフィルタ板を取り付ければ、本実施例をフィルタ装置とすることも可能になる。そして、それらの装置は、いずれも本発明の実施態様である。
【００３１】
また、本発明は、シャッタ装置，絞り装置，フィルタ装置のうちの複数を一つのユニットとして構成することも可能である。例えば、特開２００３−５２５１号公報には、一つの羽根室内に、シャッタ羽根と絞り羽根とを配置した構成と、シャッタ羽根とフィルタ羽根とを配置した構成が記載されているが、本発明は、そのような態様に構成しても構わないし、絞り羽根とフィルタ羽根を一つの羽根室に配置した態様に構成しても差し支えない。また、特開２００２−１３９７６５号公報には、中間板を境にして二つの羽根室を構成し、一方の羽根室にシャッタ羽根を配置し、他方の羽根室に絞り羽根を配置した構成と、一方の羽根室にシャッタ羽根を配置し、他方の羽根室にフィルタ羽根を配置した構成が記載されているが、本発明は、そのような態様に構成しても構わないし、一方の羽根室に絞り羽根を配置し、他方の羽根室にフィルタ羽根を配置した態様に構成しても差し支えない。
【００３２】
更に、特開２００１−１８８２７５号公報には、中間板を境にして二つの羽根室を構成し、一方の羽根室にシャッタ羽根を配置し、他方の羽根室に絞り羽根とフィルタ羽根を配置した構成が記載されているが、本発明は、そのような態様に構成しても差し支えない。また、本実施例に記載のアクチュエータの構成は、特許文献１に記載の構成に似た構成をしているが、本発明は、そのような構成のアクチュエータに限定されない。例えば、特許文献２に記載のアクチュエータを採用することも可能である。但し、その場合には、地板１が本実施例のような形状をしていると、コイルを巻回することが困難になるので、地板１を、予め分割した二つの部材として製作しておき、少なくともその一方にコイルを巻回しておいてから両者を一体化するように構成すれば可能になる。
【図面の簡単な説明】
【００３３】
【図１】シャッタ羽根の全開状態を示した実施例の平面図である。
【図２】実施例の分解斜視図である。
【図３】実施例の組立過程を説明するために、図１の略左方から見て展開して示した断面図であって、図３（ａ）は組立完了状態を示したものであり、図３（ｂ）は各部材の組み付け順を説明するためのものである。
【図４】シャッタ羽根の閉鎖状態を示した実施例の平面図である。
【符号の説明】
【００３４】
１                              地板
１ａ，６ａ，９ａ                開口部
１ｂ，６ｇ〜６ｊ，９ｈ〜９ｋ    切欠部
１ｃ                            ２段軸
１ｄ                            軸
１ｅ，１ｆ，１ｇ，１ｈ          ストッパ
１ｉ，１ｊ，１ｋ                取付軸
１ｍ，１ｎ                      ねじ穴
１ｐ，１ｑ                      段部
２                              ヨーク
２ａ，２ｂ                      磁極部
３                              コイル
４                              ボビン
４ａ，４ｂ                      端子ピン
５                              回転子
５ａ                            永久磁石
５ｂ                            張出部
５ｃ                            駆動ピン
６                              仕切り板
６ｂ〜６ｆ，６ｍ，６ｎ，７ａ，８ａ，９ｃ〜９ｇ，９ｎ，９ｐ  孔
６ｋ，７ｂ，８ｂ，９ｍ          長孔
７，８                          シャッタ羽根
９                              カバー板
９ｂ                            窪み部
【図１】
2006011293.tif 000003
【図２】
2006011293.tif 000004
【図３】
2006011293.tif 000005
【図４】
2006011293.tif 000006